(57)【要約】【課題】不正行為による払出装置の遊技媒体の払出動作を未然に防止できるようになる遊技機の提供。【解決手段】ホッパ装置20の負極端子20B をグランドに短絡させると、トランジスタ71のベース電圧が低下して、トランジスタ71がマグネットスイッチ54のソレノイド54B に流れる電流を遮断し、これにより、マグネットスイッチ54の電気接点54A が遮断状態に移行して、駆動系電力供給部53の入力端子53A への交流電流を遮断するので、ホッパ装置20が作動することがない。従って、ホッパ装置20の負極端子20B をグランドに短絡しても、ホッパ装置20への電力供給を行う駆動系電力供給部53への電力供給が停止され、不正行為によるホッパ装置20のメダル払出動作が未然に防止される。【選択図】    図４
2010017380.tif 000002
【特許請求の範囲】
【請求項１】
遊技の進行のために稼働される遊技用装置と、この遊技用装置の動作を制御する制御装置と、遊技媒体を遊技者に払い出すための払出装置と、一次側で入力した交流電力を整流して二次側から直流電力を出力する電源装置とを備え、前記制御装置から出力される制御信号に応じて前記電源装置が前記払出装置に直流電力を供給し、これにより前記払出装置が遊技媒体の払出動作を行うように形成された遊技機であって、
前記電源装置には、前記払出装置に印加すべき電圧の直流電力を供給する駆動系電力供給部と、前記制御装置に印加すべき電圧の直流電力を供給する制御系電力供給部と、前記払出装置とグランドとの間に接続されることにより、前記制御装置から出力される制御信号に応じて、前記駆動系電力供給部から前記払出装置へ流れる直流電流を、前記払出装置よりもグランド側の位置で遮断可能にされたスイッチング素子とが設けられ、
前記電源装置の前記駆動系電力供給部に交流電力が供給される入力端子に接続されて、当該入力端子に流入する交流電流を遮断可能にされた電流遮断手段と、
前記払出装置及び前記スイッチング素子が相互に接続されている接続点の電圧を検出するとともに、当該接続点の電圧が所定値以下になると、前記電流遮断手段を遮断状態に移行させる遮断指令信号を発信する遮断指令発信手段とを備え、
前記払出装置及び前記スイッチング素子の接続点の電圧が所定値以下になった場合、前記遮断指令発信手段によって遮断指令信号が前記電流遮断手段へ送出され、この遮断指令信号を受信した前記電流遮断手段が遮断状態に移行するように形成されていることを特徴とする遊技機。
【発明の詳細な説明】
【技術分野】
【０００１】
本発明は、遊技の進行のために稼働される遊技用装置と、この遊技用装置の動作を制御する制御装置と、遊技媒体を遊技者に払い出すための払出装置と、一次側で入力した交流電力を整流して二次側から直流電力を出力する電源装置とを備え、前記制御装置から出力される制御信号に応じて前記電源装置が前記払出装置に直流電力を供給し、これにより前記払出装置が遊技媒体の払出動作を行うように形成された遊技機に関する。
【背景技術】
【０００２】
従来より、遊技者に娯楽を提供する遊技機として、外周面に複数種類の図柄が記された複数の回転リールを備え、回転状態の回転リールを遊技者に停止させて図柄を揃えさせる遊技を行うスロットマシンが利用されている。
更に具体的に説明すると、スロットマシンには、遊技媒体としてのメダルが投入される投入口と、周面に複数種類の図柄が記されるとともに回転駆動される複数の回転リールと、これらの回転リールの回転を開始させるために操作されるスタートレバーと、回転リールの回転を停止させるために操作されるストップボタンとが設けられている。
また、スロットマシンには、入賞の際にメダルを払い出す払出装置としてのホッパ装置と、ホッパ装置等の遊技用装置の動作を制御する制御装置と、ホッパ装置等の遊技用装置に電力を供給する電源装置が設けられている。
【０００３】
そして、スロットマシンにメダルを投入した後、遊技者がスタートレバー装置を操作すると、複数の回転リールが一斉に回転を開始する。この後、遊技者がストップボタンを押圧操作すると、ストップボタンに対応した回転リールが停止し、すべてストップボタンの押圧操作の完了によってすべての回転リールが停止する。
この際、停止した回転リールの図柄が特定の組合せに揃うと入賞となり、入賞すると、入賞した役に応じた数のメダルを遊技者に払い出す払出動作がホッパ装置によって行われるようになっている。
このようなスロットマシンでは、制御装置から電源装置へ払出制御信号が送出され、この払出制御信号の電圧値に応じて電源装置に設けられている電力制御用のスイッチング素子がＯＮ／ＯＦＦされるようになっている。そして、電源装置のスイッチング素子がＯＮ状態となることにより、ホッパ装置への電力供給が行われ、これにより、ホッパ装置は、電源装置から電力の供給を受けて払出動作を行うようになっている。
【０００４】
ここで、制御装置から電源装置へ送出される払出制御信号は、二つの払出開始指令及び払出停止指令が設定されたものであり、払出開始指令及び払出停止指令に対して互いに異なる二つの電圧値が割り当てられている。
このうち、払出開始指令に対しては、予め設定された電圧範囲（例えば、２〜１０Ｖの範囲）内における所定のＬＯＷ電圧値（例えば、３Ｖ）が割り当てられている。一方、払出停止指令に対しては、前述の電圧範囲から逸脱、換言すると、当該電圧範囲内のいかなる電圧よりも大きな所定のＨＩＧＨ電圧値（例えば、１２Ｖ）が割り当てられている。
従って、制御装置から電源装置へ送出される払出制御信号がＨＩＧＨ電圧値を維持している間は、ホッパ装置の払出動作は休止し、払出制御信号がＬＯＷ電圧値へ移行すると、ホッパ装置の払出動作が開始され、このホッパ装置の払出動作は、払出制御信号がＨＩＧＨ電圧値へ移行するまで維持されるようになっている。
【０００５】
このような遊技機によれば、電源装置へ送出される払出制御信号を出力する制御装置の出力端子、あるいは、制御装置からの払出制御信号を入力する電源装置の入力端子に、ＨＩＧＨ電圧値と同一値の電圧、例えば、制御装置の電源電圧を印加しても、ホッパ装置が作動することがないうえ、前述した制御装置の出力端子、あるいは、電源装置の入力端子をグランドに短絡して、払出制御信号を０Ｖ状態にしても、０Ｖが前述の電圧範囲内にないことから、ホッパ装置が作動することがない。
従って、入力端子又は出力端子に制御系の電源電圧を強制的に印加する不正行為、あるいは、入力端子及び出力端子を相互に接続する電線に制御系の電源電圧を強制的に印加する不正行為、さらには、入力端子又は出力端子をグランドに短絡する不正行為が行われても、ホッパ装置が作動することがなく、これらの不正行為による損害の発生を未然に防止することができる（例えば、特許文献１参照）。
【０００６】
また、ホッパ装置等の払出装置が駆動しているか否かを検知する駆動検知手段を遊技機に設け、この駆動検知手段により、払出制御信号の指令の内容と、駆動検知手段で検知した検知結果とが適合しているか否かの判定を行い、これにより、払出装置に対して不正行為がなされたか否かを検知できるようにした遊技機が知られている（例えば、特許文献１参照）。
このような遊技機によれば、不正行為によってホッパ装置が駆動されると、払出制御信号の指令の内容がホッパ装置を停止させる旨であるのにもかかわらず、駆動検知手段でホッパ装置が駆動していることが検知され、駆動検知手段で払出制御信号の指令の内容と、駆動検知手段で検知した検知結果とが相違する。従って、これにより、ホッパ装置に対して不正行為がなされていることが検知でき、この検知結果に基づいて、不正行為が行われていることをホールコンピュータ等に報知することができる。
【０００７】
例えば、電源装置に設けられたスイッチング素子が払出装置よりも電源の正極側に接続されている場合には、払出装置を駆動可能な電圧を出力するために電源装置に設けられた電力出力端子と、払出装置の電力入力端子とを直接接続する、あるいは、電源装置に設けられたスイッチング素子が払出装置よりもグランド側に接続されている場合には、払出装置のグランド端子を直接、スロットマシンのグランド、例えば、スロットマシンの筐体の金属部分に接続することで、電源装置のスイッチング素子をバイパスして払出装置に電力を供給し、これにより、払出装置を不正に動作させて遊技媒体を不正に払い出させることができる。
【０００８】
このようにして、払出装置が不正に動作されると、払出制御信号の指令の内容と、駆動検知手段で検知した検知結果とが相違するので、これにより、不正行為が行われていることが検知でき、その旨をホールコンピュータ等に報知することができる。
【特許文献１】特開２００２−８５６４３号
【発明の開示】
【発明が解決しようとする課題】
【０００９】
前述のような遊技機では、払出装置に対する不正行為がなされた場合、その旨の報知は行えるが、電源装置のスイッチング素子がバイパスされて払出装置に電力が供給されるので、払出装置の不正な遊技媒体の払出動作を未然に防止することができない、という問題がある。
そこで、各請求項にそれぞれ記載された各発明は、上記した従来の技術の有する問題点に鑑みてなされたものであり、その目的とするところは、不正行為による払出装置の遊技媒体の払出動作を未然に防止できる遊技機を提供することである。
【課題を解決するための手段】
【００１０】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
（請求項１）
（特徴点）
請求項１記載の発明は、次の点を特徴とする。
すなわち、請求項１に記載された発明は、遊技の進行のために稼働される遊技用装置(10)と、この遊技用装置(10)の動作を制御する制御装置(2A)と、遊技媒体を遊技者に払い出すための払出装置(20)と、一次側で入力した交流電力を整流して二次側から直流電力を出力する電源装置(2B)とを備え、前記制御装置(2A)から出力される制御信号に応じて前記電源装置(2B)が前記払出装置(20)に直流電力を供給し、これにより前記払出装置(20)が遊技媒体の払出動作を行うように形成された遊技機(１)であって、前記電源装置(2B)には、前記払出装置(20)に印加すべき電圧の直流電力を供給する駆動系電力供給部(53)と、前記制御装置(2A)に印加すべき電圧の直流電力を供給する制御系電力供給部(51)と、前記払出装置(20)とグランドとの間に接続されることにより、前記制御装置(2A)から出力される制御信号に応じて、前記駆動系電力供給部(53)から前記払出装置(20)へ流れる直流電流を、前記払出装置(20)よりもグランド側の位置で遮断可能にされたスイッチング素子(41)とが設けられ、前記電源装置(2B)の前記駆動系電力供給部(53)に交流電力が供給される入力端子(53A) に接続されて、当該入力端子(53A) に流入する交流電流を遮断可能にされた電流遮断手段(54)と、前記払出装置(20)及び前記スイッチング素子(41)が相互に接続されている接続点の電圧を検出するとともに、当該接続点の電圧が所定値以下になると、前記電流遮断手段(54)を遮断状態に移行させる遮断指令信号を発信する遮断指令発信手段(71)とを備え、前記払出装置(20)及び前記スイッチング素子(41)の接続点の電圧が所定値以下になった場合、前記遮断指令発信手段(71)によって遮断指令信号が前記電流遮断手段(54)へ送出され、この遮断指令信号を受信した前記電流遮断手段(54)が遮断状態に移行するように形成されていることを特徴とする。
【発明の効果】
【００１１】
（請求項１の効果）
以上のように構成されている本発明は、以下に記載されるような効果を奏する。
すなわち、請求項１記載の発明によれば、払出装置とグランドとの間にスイッチング素子を接続し、払出装置で遊技媒体の払い出しを行わないときは、スイッチング素子が払出装置よりもグランド側の位置で駆動系電力供給部から払出装置へ流れる直流電流を遮断するようにしたので、払出装置を不正に作動させるにあたり、払出装置の負極（グランド側）の端子をグランドに短絡し、これにより、スイッチング素子をバイパスして駆動系電力供給部の電力を払出装置に直接供給するようになる。
【００１２】
ここで、駆動系電力供給部の入力端子に流入する交流電流を遮断可能にされた電流遮断手段と、払出装置及びスイッチング素子の接続点の電圧が所定値以下になると、電流遮断手段を遮断状態に移行させる遮断指令発信手段とを設け、払出装置の負極（グランド側）の端子がグランドに短絡され、スイッチング素子がバイパスされると、電流遮断手段が遮断状態になるようにしたので、不正行為により払出装置の負極（グランド側）の端子がグランドに短絡されても、電流遮断手段が駆動系電力供給部の入力端子に流入する交流電流を遮断し、払出装置が作動することがない。
従って、払出装置の負極（グランド側）の端子をグランドに短絡して、払出装置を不正に作動させようとしても、払出装置が払出動作を行うことがなくなり、払出装置の不正な遊技媒体の払出動作が未然に防止され、これにより、前記目的が達成される。
【発明を実施するための最良の形態】
【００１３】
以下に、本発明を実施するための最良の形態である実施形態について、図面を参照しながら説明する。
（図面の説明）
図１〜図４は、本発明の一実施形態を示すものであり、図１は、本実施形態に係る遊技機であるスロットマシンの全体を示す正面図、図２は、本実施形態に係るスロットマシンの内部を示す正面図、図３は、本実施形態に係るスロットマシンの動作を制御する制御装置の回路構成を示すブロック図、図４は、本実施形態に係る電源装置の回路構成を示すブロック図である。
【００１４】
（スロットマシン１の概略構成）
図１において、本実施形態に係る遊技機としてのスロットマシン１は、三個の回転リール11の各々に記された複数種類の図柄が所定の組合せとなるように、回転している回転リール11を停止させる遊技を行うものである。また、スロットマシン１は、遊技媒体として金属製のメダルを採用したものであり、メダルの投入によって遊技を開始するように形成されている。
このようなスロットマシン１には、図１に示すように、当該スロットマシン１の各種装置を収納するとともに、正面形状が長方形となった筐体２が備えられている。
【００１５】
筐体２は、前面全体が開口された箱状の部材である。そして、筐体２の前面開口は、当該筐体２に回動可能に取り付けられた前扉３で塞がれるようになっている。なお、前扉３は、閉じられると、自動的に施錠されるようになっている。
前扉３は、その前面をほぼ二分する上部パネル部４及び下部パネル部５を備えたものとなっている。そして、下部パネル部５の下方には、入賞時に払い出されるメダルを貯留する受皿部6Aが一体成形された受皿ユニット６が設けられている。また、上部パネル部４と下部パネル部５との間には、遊技に係る操作を行うための操作卓７が遊技者側に突出するように形成されている。
【００１６】
ここで、上部パネル部４及び下部パネル部５は、意匠的に優れた外観を確保するために、合成樹脂製の化粧板が表面に張り付けられたものとなっている。
（上部パネル部４）
上部パネル部４には、図１中、操作卓７の上方且つ幅方向の中央部分において長方形状に形成された表示窓4Aが設けられている。
ここで、筐体２内部に設けられた三個の回転リール11の各々は、その外周面に複数種類の図柄に記されている。そして、各回転リール11の図柄は、筐体２の外部から表示窓4Aを通して目視可能となっている。なお、回転リール11の内部には、回転リール11を内側から照射する図１には示されていないリール照明部11C が設けられている。
【００１７】
上部パネル部４の上端縁部分には、正面形状が左右に細長い逆台形状に形成された演出用照明装置4Bが設けられている。この演出用照明装置4Bは、上部パネル部４の上端縁部分のほぼ中央に配置され、その両端部は、演出用照明装置4Bの角隅部分まで達することなく、その手前の位置で途切れたものとなっている。
また、上部パネル部４の上側における両角近傍には、正面形状が湾曲した帯状に形成されるとともに、漢数字の「八」を描く一対の演出用照明装置4Cが設けられている。これらの演出用照明装置4Cの各々は、その上端部が演出用照明装置4Bの端部近傍に配置されるとともに、その下端側の部分が上部パネル部４の側縁へ向かって斜め下方に延びたものとなっている。
【００１８】
さらに、上部パネル部４の両方の側縁には、その間に表示窓4Aを挟むようにして配置された一対の演出用照明装置4Dが設けられている。
これらの演出用照明装置4B〜4Dの各々は、赤色のレンズの内部に配置された高輝度発光ダイオード等の光源を備え、遊技の進行に応じて、その光源の点灯又は点滅により、遊技における視覚的な演出効果を高めるものである。
表示窓4A及び演出用照明装置4Bの間には、遊技の演出用画像を表示する液晶表示装置4Eが設けられている。この液晶表示装置4Eは、動画を含む様々な画像を、遊技の進行に応じて表示するものである。
【００１９】
液晶表示装置4Eの下側における両角近傍には、遊技に係る効果音を発生するスピーカを備えた音声出力部4Fがそれぞれ設けられている。
（操作卓７）
操作卓７は、遊技における操作に必要な各種のスイッチ類が配置されたものである。
すなわち、操作卓７における図１中右端の部分には、前扉３の施錠を解除するための鍵が挿入される鍵穴7Aが設けられている。この鍵穴7Aの左斜め上方には、メダルを投入するためのメダル投入口7Bが開口されたメダル投入部7Cが設けられている。
メダル投入口7Bの左斜め下方には、三個の回転リール11のそれぞれを停止させる際に操作される三個のストップボタン30が設けられている。これら三個のストップボタン30のうち、左端に配置されているストップボタン30の左斜め上方には、一度の操作で最大枚数のメダルを賭けることができるマックスベットボタン7Eが設けられている。
【００２０】
また、左端のストップボタン30の左方であって、マックスベットボタン7Eの左斜め下方の位置には、三個の回転リール11を一斉に回転させる際に操作されるスタートレバー7Fが設けられている。このスタートレバー7Fの左斜め上方には、１回の操作で留されている１枚のメダルを賭けることができる、換言すると、メダルを１枚ずつ賭ける際に操作されるベットボタン7Gが設けられている。
さらに、ベットボタン7Gの左斜め下方には、精算時に貯留されているメダルを払い出させる精算ボタン7Hが設けられている。
なお、図１に示されていないが、操作卓７及び表示窓4Aの間には、７セグメントのＬＥＤを含んで構成された中央表示装置が設けられ、さらに、前扉３の裏側には、中央表示装置の動作を制御するための電子回路が形成された中央表示基板8A（図２参照）が設けられている。
【００２１】
（下部パネル部５及び受皿ユニット６）
下部パネル部５には、図１の如く、スロットマシン１のモデルタイプを象徴するキャラクター等が描かれたパネル5Aが設けられている。
受皿ユニット６には、メダルを貯留する前述の受皿部6Aに加えて、入賞時に受皿部6Aへ向かって払い出されるメダルを排出させるメダル払出口6Bと、遊技に係る効果音を発生するスピーカを備えた音声出力部6Cとが設けられている。
（筐体２内蔵の遊技用装置）
次いで、筐体２内に設けられている遊技用装置等の装置について簡単に説明する。
【００２２】
筐体２の内部には、図２に示すように、メダル投入口7Bに投入されたメダルを選別するメダルセレクタ８、三個の回転リール11が回転自在に支持するとともに、これらの回転リール11のそれぞれを駆動する図２には示されていないステッピングモータ11A を備えた回胴装置10等の遊技用装置、及び、内部に多数のメダルを貯留させる容器部21を備えるとともに受皿部6Aに向かってメダルを排出するホッパ装置20、遊技用装置の遊技動作やホッパ装置20の動作を制御するマイクロコンピュータからなるＣＰＵを備えたメイン制御基板2A、遊技の演出を行うための演出用装置（例えば、液晶表示装置4E）を制御するサブ制御基板2D、並びに、これらの装置に電力を供給する電源装置2B等の装置が設けられている。
【００２３】
（スロットマシン１の制御系）
次に、スロットマシン１の動作を制御する制御系について簡単に説明する。
スロットマシン１は、図３に示すように、スロットマシン１で行われる遊技に係る動作を制御するメイン制御基板2Aと、主に遊技の演出に係る動作を制御するサブ制御基板2Dとを備えている。スロットマシン１に備えられている装置等は、これらのメイン制御基板2A及びサブ制御基板2Dで制御されるようになっている。
メイン制御基板2Aは、図３の如く、マイクロコンピュータを利用したＣＰＵ61、ＲＯＭ62及びＲＡＭ63等の記憶手段、並びに、外部装置との信号の送受信を行うためのＩ／Ｆ回路64を含んで構成されたハードウェアに、遊技用装置の動作を制御するためソフトウェアがインストールされたものである。
【００２４】
このようなメイン制御基板2Aには、回胴装置10に設けられている回胴装置基板11B を介して、三個のステッピングモータ11A が電気的に接続されている。ここで、回胴装置基板11B は、ステッピングモータ11A への電力を入り切りするスイッチ回路が形成されたものとなっている。メイン制御基板2Aは、回胴装置基板11B へ起動信号及び停止信号を送出し、三つの回転リール11のそれぞれについて、その回転を開始させたり停止させたりするようになっている。
また、メイン制御基板2Aには、前述した中央表示基板8Aを介して、メダルセレクタ８、１ベットボタン7G、マックスベットボタン7E、スタートレバー7F、三つのストップボタン30（ストップボタン）及び、精算ボタン7Hが電気的に接続されている。
【００２５】
これにより、メイン制御基板2Aは、メダルセレクタ８、１ベットボタン7G、マックスベットボタン7E、スタートレバー7F、三つのストップボタン30、及び、精算ボタン7Hのそれぞれから送出される信号を個別に受信できるようになっている。
さらに、メイン制御基板2Aには、電源装置2Bに設けられている電源制御基板2Eを介して、ホッパ装置20及び電源装置2Bが電気的に接続されている。ここで、電源制御基板2Eは、ホッパ装置20への電力供給を制御する後述するホッパ制御部40が形成されたものとなっている。メイン制御基板2Aは、電源制御基板2Eへ払出信号及び払出停止信号を送出し、ホッパ装置20にメダルの払い出しを開始させたり停止させたりする、すなわち、ホッパ装置20の動作制御を行う機能を備えている。
【００２６】
なお、メイン制御基板2Aには、電源制御基板2Eを介して、電源装置2Bからの電力が供給されるようになっている。
また、ホッパ装置20は、払出動作を行うと、その払出動作の開始から終了するまでの間、払出動作を行っていることを示す払出動作信号をメイン制御基板2Aへ送出するようになっている。この払出動作信号は、メイン制御基板2Aを通じてホッパ制御部40に達し、ホッパ制御部40にも受信されるようになっている。
サブ制御基板2Dは、図３の如く、マイクロコンピュータを利用したＣＰＵ65、ＲＯＭ66及びＲＡＭ67等の記憶手段、メイン制御基板2Aとの通信を行うＩ／Ｆ回路68、並びに、外部装置へ信号を送信するためのＩ／Ｆ回路69を含んで構成されたハードウェアに、演出動作制御を行うためのソフトウェアがインストールされたものである。
【００２７】
換言すると、サブ制御基板2Dは、メイン制御基板2Aからの指令に基づいて、音声出力部4F, 6C及び液晶表示装置4E等による演出動作を制御するものとなっている。なお、メイン制御基板2A及びサブ制御基板2Dは、互いのＩ／Ｆ回路64及びＩ／Ｆ回路68を通じて通信を行うようになっている。
このようなサブ制御基板2Dには、前述したリール照明部11C 、演出用照明装置4B,4C,4D、音声出力部4F, 6C及び液晶表示装置4Eが電気的に接続されている。
（ホッパ装置20の電力制御系）
続いて、ホッパ装置20への電力供給動作を制御する制御系について説明する。
【００２８】
図４には、ホッパ装置20に電力を供給する電源装置2Bの概略構成が示されている。図４において、ホッパ装置20は、遊技で入賞した際に、入賞した役に応じた枚数のメダルを遊技者に払い出すための払出装置である。
一方、電源装置2Bは、一次側で入力した交流電力を整流して二次側から直流電力を出力する装置である。この電源装置2Bには、スロットマシン１に設けられている各種の装置に電力を供給する電力供給基板50と、前述の電源制御基板2Eとが設けられている。
（電力供給基板50）
電力供給基板50は、各スロットマシン１に供給される交流２４Ｖ電圧の交流電力を、設けられている各種装置のそれぞれ対応した電圧の直流電力に整流し、整流した直流電力をそれぞれの装置に供給するものである。
【００２９】
この電力供給基板50には、メイン制御基板2Aやサブ制御基板2D等の制御用の装置に電力を供給する制御系電力供給部51と、図示しない音源等の装置に電力を供給する音源系電力供給部52と、遊技用装置やホッパ装置20を駆動する電力を当該遊技用装置等に供給する駆動系電力供給部53とが設けられている。
制御系電力供給部51は、電圧を降圧する降圧手段及び交流を直流に変換する整流手段を備え、入力された２４Ｖの交流電力を、制御用の装置である制御装置に印加すべき電圧１２Ｖの直流電力に変換するものである。そして、制御系電力供給部51は、変換した直流電力を制御装置であるメイン制御基板2Aやサブ制御基板2Dに供給するようになっている。
【００３０】
音源系電力供給部52は、制御系電力供給部51と同様に、電圧を降圧する降圧手段及び交流を直流に変換する整流手段を備え、入力された２４Ｖの交流電力を、音源等の装置に印加すべき電圧１８Ｖの直流電力に変換するものである。
そして、音源系電力供給部52は、変換した直流電力を音声出力部4F, 6Cで出力される音声信号を生成する図示しないデジタル音源装置やオーディオアンプ装置に供給するようになっている。
駆動系電力供給部53は、交流を直流に変換する整流手段を備え、入力された２４Ｖの交流電力を、遊技用装置等に印加すべき電圧２４Ｖの直流電力に変換するものである。
【００３１】
そして、駆動系電力供給部53は、変換した直流電力を回胴装置10等の遊技用装置やホッパ装置20に供給するようになっている。
ここで、駆動系電力供給部53は、交流電力が供給される入力端子53A を有している。この入力端子53A には、当該入力端子53A に流入する交流電流を遮断するためのマグネットスイッチ54の電気接点54A が接続されている。
ここにおいて、マグネットスイッチ54は、駆動系電力供給部53の交流電力が供給される入力端子53A に接続され、当該入力端子53A に流入する交流電流を遮断可能にされた電流遮断手段となっている。
【００３２】
（電源制御基板2E）
一方、電源制御基板2Eには、ホッパ装置20のメダル払出動作を制御するホッパ制御部40と、ホッパ装置20に供給される電力を遮断するためのホッパ電力遮断部70とを備えたものとなっている。
ここで、制御装置であるメイン制御基板2Aからは、ホッパ装置20の制御を行うための制御信号である払出制御信号と、ホッパ装置20が払出動作を行っていることを示す払出動作信号とがホッパ制御部40へ出力されるようになっている。ホッパ制御部40は、払出制御信号に応じて後述するスイッチング素子41を作動させてホッパ装置20に直流電力を供給するものとなっている。そして、ホッパ装置20は、ホッパ制御部40による電力供給によってメダルの払出動作を行うように形成されている。
【００３３】
（ホッパ制御部40）
ホッパ制御部40は、ホッパ装置20とグランドとの間に接続されたスイッチング素子（例えば、バイポーラトランジスタ）41を備えている。このスイッチング素子41は、メイン制御基板2Aから出力される払出制御信号に応じて、駆動系電力供給部53からホッパ装置20へ流れる直流電流を、ホッパ装置20よりもグランド側の位置で遮断可能にされたスイッチング素子となっている。
さらに詳しく説明すると、スイッチング素子41は、そのコレクタがホッパ装置20の負極端子20B に接続され、エミッタがグランドに接続され、ベースが後述するＡＮＤ回路44の出力端子に接続されている。
【００３４】
このようなホッパ制御部40には、スイッチング素子41に加えて、図４の如く、二つの信号の比較を行う二つの比較回路42, 43と、二つの信号の論理積を演算する二つのＡＮＤ回路44, 45と、入力信号を論理反転させるインバータ回路46と、図示しない第１基準電圧発生回路及び第２基準電圧発生回路とが設けられている。
ここで、ホッパ制御部40の詳細を説明するのに先立って、メイン制御基板2Aから送られてくる払出制御信号について簡単に説明しておく。
払出制御信号は、前述したように、二つの電圧値が設定された電圧信号である。すなわち、払出制御信号は、予め設定された電圧範囲（例えば、２〜１０Ｖの範囲）内における所定のＬＯＷ電圧値（例えば、３Ｖ）、及び、前述の電圧範囲から逸脱、換言すると、当該電圧範囲内のいかなる電圧よりも大きな所定のＨＩＧＨ電圧値（例えば、１２Ｖ）の二つの電圧値が設定されている。そして、ＬＯＷ電圧値の払出制御信号は、払出動作をすべき旨の指令信号である一方、ＨＩＧＨ電圧値の払出制御信号は、払出動作を停止すべき旨の指令信号である。
【００３５】
ホッパ制御部40に設けられている比較回路42は、メイン制御基板2Aから送られてくる払出制御信号の電圧と、第１基準電圧発生回路が発生する第１基準電圧（例えば、１０Ｖ）とを比較し、払出制御信号の電圧が第１基準電圧よりも小さいときのみ、作動許可信号を出力するものである。換言すると、比較回路42は、払出制御信号がＨＩＧＨ電圧値であると、作動許可信号を出力せず、払出制御信号がＬＯＷ電圧値であると、作動許可信号を出力するように形成されている。
比較回路43は、メイン制御基板2Aから送られてくる払出制御信号の電圧と、第２基準電圧発生回路が発生する第２基準電圧（例えば、３Ｖ）とを比較し、払出制御信号の電圧が第２基準電圧よりも大きいときのみ、作動許可信号を出力するものである。従って、比較回路43は、払出制御信号がＬＯＷ電圧値である場合、及び、払出制御信号がＬＯＷ電圧値である場合のいずれの場合でも作動許可信号を出力するように形成されている。
【００３６】
なお、第１及び第２基準電圧発生回路としては、例えば、ツェナーダイオード等を利用した電圧レギュレータ回路が採用でき、要するに、設定された電圧値を変動させずに出力可能な回路であればよい。
ＡＮＤ回路44は、比較回路42からの作動許可信号、及び、比較回路43からの作動許可信号の両方を同時に受信したときのみ、払出電圧信号をスイッチング素子41に出力するものである。換言すると、メイン制御基板2Aから送られてくる払出制御信号がＬＯＷ信号であると、払出電圧信号をスイッチング素子41のベースに出力するように形成されている。
そして、スイッチング素子41は、そのベースに払出電圧信号を受信すると、コレクタとエミッタとの間が遮断状態から導通状態へ移行し、これにより、ホッパ装置20には、電力が供給され、ホッパ装置20は、払出動作を開始するようになっている。
【００３７】
換言すると、スイッチング素子41は、メイン制御基板2Aから送られてくる払出制御信号がＬＯＷ信号であると、遮断状態から導通状態へ移行し、これにより、ホッパ装置20に払出動作を行わせる一方、メイン制御基板2Aから送られてくる払出制御信号がＨＩＧＨ信号であると、導通状態から遮断状態へ移行し、これにより、ホッパ装置20の払出動作を停止させるようになっている。
ここで、払出制御信号が通る電線や端子に電力供給部51〜53のいずれかの出力電圧が印加されたり、払出制御信号が通る電線や端子がグランドに短絡されたりしても、これらの行為によって払出制御信号が通る電線や端子に印加される電圧値が、予め設定された電圧範囲（例えば、２〜１０Ｖの範囲）から逸脱するので、ホッパ装置20が払出動作を行わないようになっている。
【００３８】
ＡＮＤ回路45は、ＡＮＤ回路44からの払出電圧信号の反転信号、及び、ホッパ装置20からメイン制御基板2Aを経由して送られてきた払出動作信号の両方を同時に受信すると、不正信号を出力するものである。換言すると、ＡＮＤ回路45は、払出電圧信号が送出されていない状態でホッパ装置20が作動している不正作動状態を検知し、不正作動状態を検知すると、その旨を知らせるための不正信号を出力するものである。
なお、この不正信号は、メイン制御基板2Aへ送出されるようになっている。さらに、不正信号を受信したメイン制御基板2Aは、当該不正信号をホールコンピュータへ転送するとともに、遊技場の管理者が所定のリセット操作を行うまで、当該不正信号の転送状態を保持するようになっている。
【００３９】
インバータ回路46は、比較回路43からの作動許可信号を反転した異常信号を出力するものである。
すなわち、払出制御信号は、メイン制御基板2A等が正常であれば、ＬＯＷ電圧値及びＨＩＧＨ電圧値のいずれかの電圧となり、常に第２基準電圧よりも大きい値となるように設定されている。払出制御信号が第２基準電圧の値よりも小さい場合は、メイン制御基板2A等に異常が発生したとみなせる。
従って、メイン制御基板2A等の異常発生検出は、払出制御信号が第２基準電圧の値よりも小さいか否かに基づいて判定することができ、換言すると、比較回路43から出力される作動許可信号を反転した信号が出力されたら、メイン制御基板2A等に異常が発生したと判定することができる。
【００４０】
そこで、インバータ回路46は、比較回路43から出力される作動許可信号を反転することで異常信号を生成し、生成した異常信号をメイン制御基板2Aへ送出するようにしたものである。なお、この異常信号は、メイン制御基板2Aを通じてホールコンピュータへも送出されるようになっている。
（ホッパ電力遮断部70）
ホッパ電力遮断部70は、駆動系電力供給部53への交流電流の流入を遮断する前述のマグネットスイッチ54のソレノイド54B と、マグネットスイッチ54を遮断状態に移行させる遮断指令信号を発信する遮断指令発信手段であるトランジスタ71と、二つの直流抵抗素子72, 73とを備えたものである。
【００４１】
ここで、マグネットスイッチ54のソレノイド54B は、正極端子が制御系電力供給部51の正極端子に接続され、正極端子54C がトランジスタ71のコレクタに接続されている。
また、トランジスタ71は、そのエミッタがグランドに接続されている。
直流抵抗素子72及び直流抵抗素子73は、互いに直列に接続されたものとなっている。
これらの直流抵抗素子72及び直流抵抗素子73における直流抵抗素子72側の一端は、ホッパ装置20と、このホッパ装置20への電力供給を制御するスイッチング素子41のコレクタとが相互に接続されている接続点に接続されている。
直流抵抗素子72及び直流抵抗素子73における直流抵抗素子73側の他端は、グランドに接続されている。
【００４２】
また、直流抵抗素子72と直流抵抗素子73との接続点には、ホッパ電力遮断部70に設けられているトランジスタ71のベースが接続されている。
ここで、ホッパ電力遮断部70に設けられているトランジスタ71のベースには、ホッパ装置20の負極端子20B とスイッチング素子41のコレクタとが相互に接続されている接続点の電圧を分圧した電圧が印加されるようになっている。
これにより、ホッパ電力遮断部70のトランジスタ71は、ホッパ装置20の負極端子20B とスイッチング素子41のコレクタとが相互に接続されている接続点の電圧を検出することが可能となっている。
【００４３】
このようなトランジスタ71は、ホッパ装置20の負極端子20B とスイッチング素子41のコレクタとが相互に接続されている接続点の電圧が所定の電圧値よりも小さくなると、導通状態から遮断状態へ移行し、マグネットスイッチ54のソレノイド54B に流れる電流を遮断するものとなっている。
そして、マグネットスイッチ54は、ソレノイド54B に流れる電流が遮断されると、駆動系電力供給部53の入力端子53A に接続された電気接点54A が開状態となり、駆動系電力供給部53に流入する交流電流を遮断するようになっている。
駆動系電力供給部53に流入する交流電流が遮断されると、ホッパ装置20への電力供給を制御するスイッチング素子41が閉状態でも、ホッパ装置20への電力供給が停止されるようになっている。
【００４４】
以上において、トランジスタ71の導通状態から遮断状態へ移行すると、トランジスタ71のコレクタ及びエミッタの間に流れる電流、すなわち、マグネットスイッチ54のソレノイド54B に流れる電流が遮断され、電流遮断手段であるマグネットスイッチ54の電気接点54A が遮断状態に移行するので、トランジスタ71のコレクタ及びエミッタの間に流れる電流は、電流遮断手段を遮断状態に移行させる遮断指令信号となっている。
また、トランジスタ71は、払出装置であるホッパ装置20及びスイッチング素子であるスイッチング素子41が相互に接続されている接続点の電圧を検出しており、且つ、当該接続点の電圧が所定値以下になると、マグネットスイッチ54の電気接点54A を遮断状態に移行させる遮断指令信号を発信していることから、電流遮断手段であるマグネットスイッチ54に遮断指令信号を発信する遮断指令発信手段となっている。
【００４５】
このような本実施形態では、ホッパ制御部40の払出制御信号を入力するための入力端子に制御用の電圧（例えば、１２Ｖ）、音源用の電圧（例えば、１８Ｖ）、及び、ホッパ装置20を駆動する電圧（例えば、２４Ｖ）のいずれを印加しても、ホッパ装置20が払出動作を行うことはない。そして、ホッパ制御部40の払出制御信号を入力するための入力端子をグランドに接続しても、ホッパ装置20が払出動作を行うことがない。
また、ホッパ装置20の正極端子20A （図４参照）にホッパ装置20を駆動する電圧（例えば、回胴装置10を駆動するための２４Ｖ）を印加しても、ホッパ制御部40のスイッチング素子41が遮断状態であれば、ホッパ装置20が払出動作を行うことはない。
【００４６】
さらに、ホッパ装置20の負極端子20B をグランドに接続すると、ホッパ制御部40のスイッチング素子41がバイパスされ、スイッチング素子41の遮断状態でも、ホッパ装置20に駆動電流が流れようとするが、負極端子20B のグランドへの接続により、ホッパ装置20の負極端子20B とスイッチング素子41のコレクタとが相互に接続されている接続点の電圧が、速やかに０Ｖになるので、マグネットスイッチ54のソレノイド54B に流れる電流が遮断され、その電気接点54A が遮断状態に移行し、ホッパ装置20が作動せず、払出動作も行われない。
前述のような本実施形態によれば、次のような効果が得られる。
【００４７】
すなわち、駆動系電力供給部53の入力端子53A に流入する交流電流を遮断可能にされたマグネットスイッチ54と、ホッパ装置20及びスイッチング素子41の接続点の電圧が所定値以下になると、マグネットスイッチ54の電気接点54A を遮断状態に移行させるトランジスタ71とを設け、ホッパ装置20の負極端子20B がグランドに短絡され、ホッパ装置20の動作を制御するスイッチング素子41がバイパスされると、トランジスタ71がマグネットスイッチ54の電気接点54A を遮断状態に移行させるように形成したので、不正行為によりホッパ装置20の負極端子20B がグランドに短絡されても、マグネットスイッチ54が遮断状態に移行して、駆動系電力供給部53の入力端子53A に流入する交流電流が遮断され、ホッパ装置20が作動することがない。
【００４８】
従って、ホッパ装置20の負極端子20B をグランドに短絡して、ホッパ装置20を不正に作動させようとすると、ホッパ装置20に電力を供給する駆動系電力供給部53への電力供給が停止し、これにより、ホッパ装置20が払出動作を行うことがなく、不正行為によるホッパ装置20のメダル払出動作を未然に防止することができる。
なお、本発明は、前記実施形態に限定されるものではなく、本発明の目的を達成できる範囲における変形及び改良などをも含むものである。
例えば、スイッチング素子としては、バイポーラトランジスタに限らず、ＦＥＴ等の半導体からなる他の種類の無接点スイッチング素子、あるいは、電力制御用のリレー等の機械式接点及びソレノイドを有する有接点スイッチング素子でもよい。
【００４９】
また、電流遮断手段としては、マグネットスイッチに限らず、電力制御用のリレー等の機械式接点及びソレノイドを有する他の種類の有接点スイッチング素子、あるいは、バイポーラトランジスタやＦＥＴ等の半導体からなる電力制御用の無接点スイッチング素子でもよい。
さらに、遮断指令発信手段としては、バイポーラトランジスタに限らず、ＦＥＴ等の半導体からなる他の種類の無接点スイッチング素子、あるいは、制御用のリレー等の機械式接点及びソレノイドを有する有接点スイッチング素子でもよい。
また、遊技機としては、スロットマシンに限らず遊技場やゲームセンター等に設置されるアーケードテレビゲーム機や、遊技球を遊技媒体として利用するパチンコ機でもよく、要するに、本発明は、入賞時に遊技媒体を遊技者に払い出す機能を有する遊技機全般に適用することができる。
【図面の簡単な説明】
【００５０】
【図１】本発明の一実施形態に係る遊技機であるスロットマシンの全体を示す正面図である。
【図２】前記実施形態に係るスロットマシンの内部を示す正面図である。
【図３】前記実施形態に係るスロットマシンの動作を制御する制御装置の回路構成を示すブロック図である。
【図４】前記実施形態に係る電源装置の回路構成を示すブロック図である。
【符号の説明】
【００５１】
１    遊技機としてのスロットマシン
2A   制御装置としてのメイン制御基板
2B   電源装置
10    遊技用装置の一つである回胴装置
20    払出装置としてのホッパ装置
41    スイッチング素子としてのトランジスタ
51    制御系電力供給部
54    電流遮断手段としてのマグネットスイッチ
53    駆動系電力供給部
53A   駆動系電力供給部の入力端子
71    遮断指令発信手段としてのトランジスタ
【図１】
2010017380.tif 000003
【図２】
2010017380.tif 000004
【図３】
2010017380.tif 000005
【図４】
2010017380.tif 000006